(57)【特許請求の範囲】
【請求項１】
供給口と排出口を配した円筒体の中央に、中空部のない内側羽根を配設すると共に、
該内側羽根の外側に前記内側羽根とは逆向きの螺旋を施し、且つ、該内側羽根とは互いに逆回転する、前記円筒体と別体の外側羽根を、当該外側羽根と前記円筒体の内面との間の隙間、及び、前記内側羽根と前記外側羽根との間の隙間が夫々微小となるように配設したことを特徴とする給送装置。
【発明の詳細な説明】
【０００１】
【発明の属する技術分野】
本発明は、給送装置に関し、更に詳細には堆肥化した廃棄物等の昇降用の給送に適した装置に関する。
【従来の技術】
【０００２】
従来、例えば堆肥化装置の一例として、比較的大型の円形の堆肥化槽を設け、その堆肥化後の廃棄物を槽の中央に設けた排出口から地下部を経て螺旋状の回転羽根を配した給送装置で送り出している例がある。
しかし、地下部を掘削するのは作業が大変であり、この解消策として、堆肥化した廃棄物を一旦垂直方向に持ち上げ、それを上部から搬出しようとする試みを本発明者は行った。
ところが、垂直に立てた螺旋状の回転羽根によっては、比較的粘稠性の高い堆肥化廃棄物は羽根の周りにこびり着くだけで、垂直方向に持ち上げることはまったく不可能であった。
【０００３】
【発明が解決しようとする課題】
そこで本発明は、斯かる比較的粘稠度の高い物質に対して、上下垂直方向への昇降搬送が可能な給送装置を開発しようとするものである。
【０００４】
【課題を解決するための手段】
本発明の給送装置は、供給口と排出口を配した円筒体の中央に、中空部のない内側羽根を配設すると共に、該内側羽根の外側に前記内側羽根とは逆向きの螺旋を施し、且つ、該内側羽根とは互いに逆回転する、前記円筒体と別体の外側羽根を、当該外側羽根と前記円筒体の内面との間の隙間、及び、前記内側羽根と前記外側羽根との間の隙間が夫々微小となるように配設して構成される。
【０００６】
【発明の実施の形態】
垂直方向に立てた円筒体１０と、シャフト部２０と内側羽根３０と外側羽根４０とから成る。
【０００７】
該円筒体１０は、その下部に堆肥化廃棄物等の搬送対象物を送り込む供給口１１を配し、上部に排出口１２を配して構成される。
【０００８】
シャフト部２０は、該円筒体１０のほぼ中央を上下に貫いて立設される断面円形の棒状体又は中空体であり、その態様には、後述の内側羽根３０と切り離された態様と、内側羽根３０と一体化した態様とがある。
切り離された態様は、図１〜図３に示す如くで、後述の内側羽根３０に対する回転軸を形成するものではなく、該内側羽根３０の押し出し力の反作用体として働くもので、従って、該シャフト部２０は、回転することなく上下の支持体に固着される。
一方、内側羽根３０と一体化したものは図示を省略するが、内側羽根３０と外側羽根４０との関係で搬送が可能な場合を想定したものである。
【０００９】
次いで、内側羽根３０は、上記シャフト部２０の外側で、そのシャフト部２０を囲繞しながら回転する円筒体１０の空間の約１／２程度を占める大きさの螺旋状の羽根体に形成される。
そして、該内側羽根３０の回転は、該内側羽根３０の基端に連結した連結軸３１をベアリング３２で支持し、それをモーターに連結した回転ギア３３に固着させて形成される。
【００１０】
外側羽根４０は、上記内側羽根３０と円筒体１０の内壁面とに挟まれた空間に螺旋を描いて形成される羽根体で、その螺旋の方向は上記内側羽根３０の螺旋の方向とは逆向きとなるように形成し、且つ、それが内側羽根３０の回転とは逆方向に回転すべく構成する。
即ち、内側羽根３０の螺旋を右巻き方向としたなら、外側羽根４０は左巻き方向に螺旋を巻くものとする。
そして、該外側羽根４０の回転は、上記内側羽根３０と同様で、該外側羽根４０の基端に連結した連結軸４１をベアリング４２で支持し、それをモーターに連結した回転ギア４３に固着させて形成されるが、その回転の方向は、内側羽根の回転方向と互いに逆向きとする。
【００１１】
尚、上記構成にあって、シャフト部２０と内側羽根３０との間には若干のクリアランスを施すのが望ましく、同様に、内側羽根３０と外側羽根４０との接触部付近、及び外側羽根４０と円筒体１０の内壁面との間にも若干のクリアランスＣを施すのが望ましい。
【００１２】
次に、本実施形態の作用を説明する。
先ず、円筒体１０の供給口１１から、例えば、堆肥化後の廃棄物を投入すると同時に、内側羽根３０及び外側羽根４０に連結したモーターを始動させる。
すると、連結軸３１を介して内側羽根３０が回転し、同様に連結軸４１を介して外側羽根４０が内側羽根とは互いに逆方向に回転を開始する。
【００１３】
すると、先ず、円筒体１０の中心部に投入された廃棄物は、その中心部で回転する内側羽根３０の螺旋状の羽根と接触し、やがて、その螺旋状羽根の有する回転前方に作用する推進力で前方に、即ち、上方に押しやられる。
このとき、シャフト部２０が内側羽根３０と分離されて固定されている場合には、廃棄物が羽根に付着するのを防ぐ。
即ち、通常シャフトと羽根が一体であると、粘稠性の廃棄物はシャフト付近に絡み着いてしまい前方に進まない危険がある。しかし、本発明では、前方に押しやられる廃棄物の慣性力に対し、羽根と分離したシャフトが反作用の働きをなし、廃棄物の回転による推進を助ける役割を果たす。
【００１４】
次に、外側羽根４０は、螺旋羽根であるから内側羽根３０と同様に回転方向に廃棄物を推進するよう働くが、その螺旋の向きと回転方向が逆であるから、内側羽根３０と外側羽根４０の回転接触部付近では、内側羽根３０に押された廃棄物と外側羽根４０に押された廃棄物とが互いに逆方向に押し合う形となる。
【００１５】
これをベクトル的に考えると、螺旋羽根には、その羽根の傾斜に直角な力が働くが、それは前方方向への推進力と、左右いずれかの横方向へズレる力に分かれて作用する。そして、内側羽根３０と外側羽根４０とでは、この横方向へズレる力の方向が互いに逆向きの方向となり、互いが押し合う形でなる。
【００１６】
従って、両者の力が合わさると、互いのぶつかり合いが廃棄物を空回転させることなく、作用に対し反作用の関係を形成して、前方即ち垂直上方に廃棄物を押し出す作用を促すこととなる。
【００１７】
更に、該外側羽根４０と円筒体１０の内壁面との間にも、内壁面による反作用の働きが促される。
【００１８】
この結果、比較的粘稠性の高い廃棄物であっても、該円筒体１０内にあっては、各方向に方向の違う力が働き合うので、それらが協働しあってその粘稠性に基づく空回転を防いで、確実に上下の垂直方向への推進力として働かせることができる。
【００１９】
尚、シャフト部２０と内側羽根３０とが一体化した場合には、前述のシャフト付近への絡み着きを防止する効果はないが、その心配のないものに対しては、上記内側羽根３０と外側羽根４０との協働作用で強い垂直方向への推進力を働かせることができる。
【００２０】
又、本発明は、主に粘稠性の高い物質の給送を狙いとしたが、同様の原理で強い推進力を生むものなら、これに限定されることなく、粉体等にも広く適用が可能である。
【００２１】
【発明の効果】
以上の構成に基づく本発明装置は、従来的確な搬送が困難であった粘稠性物質の上下方向への搬送が可能となるという優れた効果を奏すると共に、それが比較的簡潔な機構で実現されるので、堆肥化された廃棄物を始め他の用途にも応用することができる実現性の高い発明である。
【図面の簡単な説明】
【図１】本発明装置の一部縦断側面図。
【図２】本発明装置の一断面を描いた平面図。
【図３】本発明装置一部の模式的断面図。
【符号の説明】
１０  円筒体
１１  供給口
１２  排出口
２０  シャフト部
３０  内側羽根
３１  連結軸
３２  ベアリング
３３  回転ギア
４０  外側羽根
４１  連結軸
４２  ベアリング
４３  回転ギア
【図１】
0003619730.tif 000002
【図２】
0003619730.tif 000003
【図３】
0003619730.tif 000004